(57)【特許請求の範囲】
【請求項１】
缶容器内の液面レベルが許容範囲内に入っているか否かを検査するＸ線液面検査装置での合否判定の基準となる入味量の確認試験を行なうための試験缶であって、
底部に連なって形成された中空円筒状の缶胴を有するとともに、前記缶胴が巻締めされる開口部側に向けて縮径した形状を有する製品とされる缶容器と、該缶容器内に挿入される被検査体とを備え、
前記被検査体は、前記缶容器の軸線に沿って組み込まれる円柱状の中心部材と、円環状部材が複数に分割されてなり前記中心部材と前記缶胴との間の空間を充填するように組み込まれる外周部材とを有し、前記中心部材は、その円柱状の上面が、認識される液面レベルに対応する第一の検出面とされていることを特徴とするＸ線液面検査装置用試験缶。
【請求項２】
前記中心部材には、前記第一の検出面の中央に、円盤状の突起部材が設けられ、該突起部材の上面が、認識される液面レベルに対応する第二の検出面とされていることを特徴とする請求項１に記載のＸ線液面検査装置用試験缶。
【請求項３】
前記中心部材および外周部材は、プラスチック製であり、前記突起部材は、金属製であることを特徴とする請求項２に記載のＸ線液面検査装置用試験缶。
【発明の詳細な説明】
【技術分野】
【０００１】
本発明は、ビールやジュース等の液体が充填、密封された缶容器にＸ線を照射して該缶容器内の液面レベルを検査するＸ線液面検査装置に係り、特に、この種のＸ線液面検査装置での合否判定の基準となる入味量の確認試験を行なうための試験缶に関する。
【背景技術】
【０００２】
例えば、ビールを製造する工程は、製麦工程、仕込工程、発酵・貯酒工程、ろ過工程、およびパッケージング工程を含む。パッケージング工程は、ろ過工程を経たビールを缶や瓶などの容器に所定量ずつ充填する工程である。この際、容器に所定量のビールが充填された製品のみを出荷するために、容器に充填されたビールの実際の容量（入味量）が適正であるかどうかを検査する入味検査が実施されている。
【０００３】
この入味検査においては、ビールを充填する容器が缶である場合には、入味検査機を用いた自動化が進んでいる。例えばＸ線を用いた非破壊検査機であるＸ線液面検査装置では、缶容器内の液面レベルが許容範囲内に入っているか否かを検査し、許容範囲内にあるもの(合格製品)は次の工程に移して梱包し、許容範囲以外のもの(不合格製品)は排斥装置で生産ラインから排斥される。
【０００４】
例えば、特許文献１に開示されているＸ線液面検査装置は、被検査容器にＸ線を照射し、該容器を透過したＸ線をＸ線可視化パネルとＣＣＤカメラからなる撮像手段で撮像し、画像処理装置で前記撮像手段からの撮像データを処理して被検査容器内の液面レベルを検出し、検出した液面レベルが許容範囲内にあるか否かを判定してその結果をディスプレイ装置に表示するものである。
【先行技術文献】
【特許文献】
【０００５】
【特許文献１】特許第３４２０８９５号公報
【発明の概要】
【発明が解決しようとする課題】
【０００６】
ところで、この種のＸ線液面検査装置での合否判定の基準となる入味量の確認試験を行なうための試験缶は、通常、実際に製品とされるアルミ製の缶容器自体を用い、これに炭酸水やビールを規定量封入し、重さを量って規定量が入っているかを確認して作成されていた。
しかしながら、炭酸水を封入した試験缶は、缶を振って内圧をかけた場合と、全く振らずにそのままＸ線液面検査装置を通した場合とでは判定値が変わってしまうことがあった。また、炭酸水を封入した試験缶は、缶胴がアルミ製のため、入味量の確認試験に繰り返し使用すると、次第に缶胴に凹みが生じ、缶容器内の液面レベルが上昇するなど変化してしまう。一方、Ｘ線液面検査装置で設定する基準となる入味量の高さは、ＮＧ用の試験缶(不合格製品)を排斥するように液面レベルの許容範囲を調整するため、缶容器内の液面レベルが上昇した試験缶で入味量の基準値を設定してしまうと、通常稼働時に無駄な排斥が発生してしまい、連続排斥等によりラインの停止につながってしまうことがあった。
【０００７】
そこで、本発明は、このような問題点に着目してなされたものであって、缶容器内の液面レベルを検査するＸ線液面検査装置における、入味量の確認試験を行なうための試験缶において、通常稼働時の誤排斥を低減して生産ラインの生産性を向上し得るＸ線液面検査装置用試験缶を提供することを目的とする。
【課題を解決するための手段】
【０００８】
本発明者は、上述のような問題を解決するためには、入味量として認識させる液面レベルに対応する部分の高さを正確に維持可能な被検査体を用いてＸ線液面検査装置の機能を確認すれば、より正確にＸ線液面検査装置を管理できると考えた。
一方、生産ラインに近い状態としつつＸ線液面検査装置で入味量を正確に試験する上では、製品とされる缶容器を可及的に用いて確認試験を行なうことも重要である。Ｘ線液面検査装置のＸ線量が変化した際に、出荷される製品と同様の変化を確認できるからである。
【０００９】
ここで、実際に製品とされる缶容器は、底部と、この底部に連なって形成された中空円筒状の缶胴とを有し、その缶胴が巻締めされる開口部側に向けて縮径した形状を有する。そのため、このような缶容器を試験用として使用するには、缶容器の縮径した開口部側から上記被検査体を挿入するとともに、開口部よりも径が大きな缶胴の部分の凹みを防止するように缶内に被検査体を充填するように配置することが望ましい。
【００１０】
そこで、このような考察に基づき、本発明者は、被検査体を、缶容器の中央部分に配置される円柱状の中心部材と、その中心部材を囲繞し且つ複数に分割された外周部材とから構成し、入味線として認識される液面レベルに対応する所定高さを正確に維持可能な検出面を円柱状の中心部材の上面に設け、これら複数の外周部材および中心部材を缶容器内部に組み込むことで試験缶を構成した。
【００１１】
すなわち、上記課題を解決するために、本発明の一態様に係るＸ線液面検査装置用試験缶は、缶容器内の液面レベルが許容範囲内に入っているか否かを検査するＸ線液面検査装置での合否判定の基準となる入味量の確認試験を行なうための試験缶であって、底部に連なって形成された中空円筒状の缶胴を有するとともに、前記缶胴が巻締めされる開口部側に向けて縮径した形状を有する製品とされる缶容器と、該缶容器内に挿入される被検査体とを備え、前記被検査体は、前記缶容器の軸線に沿って組み込まれる円柱状の中心部材と、円環状部材が複数に分割されてなり前記中心部材と前記缶胴との間の空間を充填するように組み込まれる外周部材とを有し、前記中心部材は、その円柱状の上面が、認識される液面レベルに対応する第一の検出面とされていることを特徴とする。
【００１２】
本発明の一態様に係るＸ線液面検査装置用試験缶によれば、製品とされる缶容器内に被検査体を組み込んだ試験缶としたので、Ｘ線液面検査装置のＸ線量が変化した際に、出荷される製品と同様の変化を確認することができる。そして、この試験缶によれば、被検査体は、中心部材と缶胴との間の空間を充填するように外周部材が組み込まれるので、缶胴部分の凹みが抑制される。さらに、認識される液面レベルに対応する第一の検出面が円柱状の中心部材の上面によって構成されているので、缶容器が凹んでも液面レベルに対応する部分の高さが変化しない。そのため、試験缶の強度を維持するとともに入味量に対応する部分の高さの精度を向上させることができ、安定した確実な確認試験ができる。したがって、通常稼働時の誤排斥を低減して生産ラインの生産性を向上させることに寄与することができる。
【００１３】
ここで、本発明の一態様に係るＸ線液面検査装置用試験缶において、前記中心部材には、前記第一の検出面の中央に、円盤状の突起部材が設けられ、該突起部材の上面が、認識される液面レベルに対応する第二の検出面とされていることは好ましい。
このような構成であれば、Ｘ線液面検査装置で入味量を判定している搬送方向の検査範囲にズレが生じていないかの確認が同時に可能となり、液面レベルの補正が正しく行われているか否かが一層正確に判る。
その理由は、通常のＸ線液面検査装置は、缶胴の中心を含む所定範囲を検査範囲としており、その検査範囲の平均値を最終判定値として出力する。そのため、何らかの要因により、検査範囲が缶胴の中心からずれて第二の検出面を検出できなくなると、最終判定値が第一の検出面のレベルに下がることになる。そのため、容易に検査範囲のずれを判断することができるからである。
【００１４】
なお、本発明の一態様に係るＸ線液面検査装置用試験缶において、前記中心部材および外周部材は、プラスチック製であり、前記突起部材は、金属製であることは好ましい。
つまり、被検査体は、製品とされる内容物に近い比重が望ましいと考えられるので、被検査体を主にプラスチック部材から構成すれば、比重をビール等と近くすることができ、また、プラスチック部材は入手および加工が容易なので被検査体の素材として好適だからである。また、第二の検出面を構成する突起部材を金属製とすれば、この部分でのＸ線の吸収率を良くすることができるので、検査範囲のずれを判断する上で好適である。
【発明の効果】
【００１５】
上述のように、本発明によれば、通常稼働時の誤排斥を低減して生産ラインの生産性を向上し得るＸ線液面検査装置用試験缶を提供することができる。
【図面の簡単な説明】
【００１６】
【図１】本発明に係るビール製造ラインの一実施形態の工程図である。
【図２】図１の検査工程に配置されるＸ線液面検査装置を説明する模式図である。
【図３】本発明に係る試験缶の第一実施形態（Ｒ缶：３５０ｍｌ缶）を説明する図であり、同図は試験缶の正面図において缶容器のみを破断した状態で示している。
【図４】第一実施形態の被検査体を分解した状態の説明図であり、同図（ａ）は中心部材の正面図を示し、（ｂ）は外周部材の平面図を示している。
【図５】本発明に係る試験缶の第二実施形態（Ｈ缶：５００ｍｌ缶）を説明する図であり、同図は試験缶の正面図において缶容器のみを破断した状態で示している。
【図６】本発明に係る試験缶の第三実施形態（Ｍ缶：２５０ｍｌ缶）を説明する図であり、同図は試験缶の正面図において缶容器のみを破断した状態で示している。
【発明を実施するための形態】
【００１７】
以下、本発明の一実施形態について、図面を適宜参照しつつ説明する。図１は本発明に係る実施形態のビール製造ラインの工程図である。
図１に示すように、このビール製造ラインは、缶蓋及び缶体を供給する供給工程を行うブロック１０１と、フィラーによりビールを缶体に注入し、シーマーにより缶体に缶蓋を装着する缶詰め工程を行うブロック１０２と、ビールが詰められた製品を検査する検査工程を行うブロック１０３と、検査後の製品を加温機により加温する工程を行うブロック１０４と、製品の入味を検査する検査工程を行う及びブロック１０５と、入味検査後に分岐して製品を６本（マルチ）パックに梱包した上で２４本入りカートンに梱包する工程又は製品を個別のまま（ルーズ等）他の形態で２４本入りカートンに梱包する工程を行うブロック１０６，１０７と、カートンの印字を検査する工程を行うブロック１０８と、カートンの重量を検査する工程を行うブロック１０９と、カートンを搬出する工程を行うブロック１１０とを有する。
【００１８】
ここで、上記検査工程を行なうブロック１０５では、順次搬送されてくる缶容器に充填された液体の容量が所定量であるかどうかを検査するために、Ｘ線を用いて缶容器に充填されたビールの容量（入味量）の検査を行なっている。
図２に示すように、ブロック１０５に配備されるＸ線液面検査装置は、被検査容器となる缶容器ＣにＸ線を照射する検査装置本体２０と、その検査装置本体２０に付設された制御装置２１と、検査装置本体２０内を通るトンネル部２２に缶容器Ｃを搬送可能に設けられたコンベア２３とを有する。Ｘ線液面検査装置は、検査装置本体２０の上流にある、Ｘ線ＯＮ用センサー２４にて缶容器Ｃが検出されたらＸ線の照射を開始するようになっている。
【００１９】
そして、制御装置２１は、検査装置本体２０内にある位置検出センサー（不図示）にて缶容器Ｃの缶胴が検出されたら、コンベア２３の設定速度と缶径に基づいて一つの缶容器Ｃに対する入味量の検査を行なうようになっている。制御装置２１は、一つの缶容器Ｃに対して計算された時間だけ入味量の検査を継続して平均値を算出し、その平均値を最終の判定値として出力し当該一つの缶容器Ｃに対してＮＧ缶(不合格製品)又はＯＫ缶(合格製品)の入味判断を行う。なお、本実施形態では、静止状態での検査装置本体２０の検出精度は±０．３ｍｍである。
【００２０】
ここで、このＸ線液面検査装置では、合否判定の基準となる入味量の確認試験を、朝の最初の稼働前、昼および稼働後の３回行なっている。また、生産される缶容器Ｃの種類の切替（上記生産ラインでは、第一ないし第三実施形態の缶容器が対応）が発生した場合には、その都度、合否判定の基準となる入味量の確認試験を対応する確認試験用の試験缶によって実施している。
【００２１】
ここで、確認試験用の試験缶は、生産される缶種毎にＮＧ缶(不合格製品)とＯＫ缶(合格製品)を組として確認試験を実施しており、ＮＧ缶が排斥されない場合は、Ｘ線液面検査装置の基準となる入味量の高さを適切な側に変更し、ＮＧ缶を排斥させるように設定している。以下、上記確認試験に用いる本発明に係る試験缶の実施形態について詳しく説明する。
【００２２】
図３に示すように、この第一実施形態（Ｒ缶：３５０ｍｌ缶）の試験缶１０は、製品とされる缶容器Ｃと同様の缶容器１と、その缶容器１内に組み込まれる被検査体１４とを備えて構成されている。
缶容器１は、底部２と、その底部２に連なって形成された中空円筒状の缶胴３とを有する。缶胴３は、巻締めされる開口部５側に向けて縮径した縮径部（４段ネック部）４を有する。なお、試験缶１０として用いる缶容器１の開口部は、巻締めしない（以下同じ）。
【００２３】
被検査体１４は、主にプラスチック製である。本実施形態では、プラスチックとしてＭＣナイロン（日本ポリペンコ株式会社製（登録商標））を使用している。ＭＣナイロン（登録商標）は、比重が水よりも重いものの金属材料等に比べれば軽いので、比較的にビールと近い比重であり、入手および加工が容易なので被検査体の素材として採用する上で好適である。なお、被検査体１４の素材は、プラスチック製に限定されず種々の材料を採用可能である。例えば木製とすることもできるが、防虫対策等の観点からはプラスチック製とすることが好ましい。
【００２４】
被検査体１４は、図４（ａ）に示す、上記缶容器１の軸線に沿って組み込まれる円柱状の中心部材１２と、図４（ｂ）に示す、プラスチック製の円環状部材が複数に分割されてなり、前記中心部材１２と缶胴３との間の空間を充填するように組み込まれる外周部材１１とを有する。
図４（ａ）に示すように、中心部材１２は、その円柱状の上面が、認識される液面レベルに対応する第一の検出面１２ｋとなるように円柱の高さＨが設定されている。本実施形態の例では、後述する検査範囲に第一の検出面１２ｋの大きさ（搬送方向での長さ）を対応させるために、中心部材１２の上部に円環状の鍔部１２ｔを形成している。なお、第一の検出面１２ｋの大きさが検査範囲に対応すれば、鍔部１２ｔを形成せずに、単に円柱状とした中心部材１２の上面を第一の検出面１２ｋとしてもよい。
【００２５】
また、この中心部材１２には、第一の検出面１２ｋの中央に、ステンレス鋼（ＳＵＳ材）製の円盤状の突起部材１３が設けられている。この突起部材１３の上面が、認識される液面レベルに対応する第二の検出面１３ｋとされている。詳しくは、第二の検出面１３ｋを設けるための円盤状の突起部材１３は、直径をφ１１ｍｍとしており、中心部材１２の中心部分に下部を２ｍｍほど埋め込んでいる。突起部材１３の突出高さｔは２．４ｍｍとしている。第二の検出面１３ｋをステンレス鋼製とした理由は、直径がφ１１ｍｍと小径な突起部材１３をプラスチック製とすると、プラスチックはＸ線の吸収が弱いので不安定となるため、検出性を向上させるために、Ｘ線の吸収率の良いステンレス鋼によって第二の検出面１３ｋを設けている。なお、本実施形態では、突起部材１３をステンレス鋼製とした例であるが、これに限らず、突起部材１３を他の金属材料（例えば、鉄鋼材料）から形成してもよい。しかし、錆の発生を防ぐ上では突起部材１３をステンレス鋼製とすることが好ましい。
【００２６】
第二の検出面１３ｋを設けた理由であるが、Ｘ線液面検査装置は、コンベア２３の速度と缶径とを制御装置２１内部で計算し、缶胴３の端をセンサーで検出後、缶胴３の１／３が通過した後から、更に１／３が通過するまでを搬送方向での検査範囲としている。このため、φ６６ｍｍの缶胴の検査範囲は、中心振り分けで２２ｍｍの範囲になる。そこで、その検査範囲の半分をステンレス鋼（ＳＵＳ材）製の突起部材１３で検査させることを意図し、プラスチック製の中心部材１２の中心部にφ１１ｍｍの突起部材１３を入れている。そして、突起部材１３上面の第二の検出面１３ｋを中心部材１２上面の第一の検出面１２ｋよりも突出高さｔ（２．４ｍｍ）だけ高くしたのは、搬送方向での検査範囲のずれを検出するためである。つまり、Ｘ線液面検査装置は、搬送方向での検査範囲の平均値を最終判定値として出力するので、何らかの要因により、検査範囲がφ６６ｍｍの缶胴の中心の突起部材１３からずれて第二の検出面１３ｋをＸ線液面検査装置が検出できなくなると、最終判定値が第一の検出面１２ｋのレベルまで下がることになる。そのため、容易に検査範囲のずれを判断することができるからである。
【００２７】
一方、外周部材１１は、図３に示すように、第一実施形態では、缶容器１の底部２側から２段に積み上げられる。２段に積み上げられたときの上側の外周部材１１の上面は、中心部材１２の第一の検出面１２ｋよりも低くされている。これは、分割された外周部材１１の組み込みを容易にするためであり、また、第一の検出面１２ｋとの干渉を防止するためである。
【００２８】
各段の外周部材１１は、図４（ｂ）に示すように、円環状の部材を二分割したものを組として構成されている。つまり、各段の外周部材１１は、半割れの外周部材片１１Ａ，１１Ｂからなる。半割れの外周部材片１１Ａ，１１Ｂは、缶容器１の開口部から缶内に挿入可能なように分割される。本実施形態では、分割面とは直交する方向に二面幅Ｍが形成されており、これにより、缶容器１の開口部からの挿入性を一層容易にしている。各組を対向させて環状とした外周部材１１は、その内径が中心部材１２の外径よりも僅かに大きく、また、外周部材１１の外径は、缶容器１の缶胴３部分の内径よりも僅かに小さく形成されている。これにより、外周部材１１の各組を対向させて環状となるように缶胴３内で組み合わせ、環状に組み合わせた外周部材１１中心部の空隙部に中心部材１２を挿入したときに、缶胴３部分の径方向に被検査体１４が充填された状態となる。これにより、缶胴部分の凹みが抑制されるようになっている。
【００２９】
次に、上記第一実施形態（Ｒ缶：３５０ｍｌ缶）の試験缶１０における缶容器１に対する被検査体１４の組み込み方法について説明する。
この試験缶１０の組み込み方法は、缶容器１の内部に先に上記複数に分割された外周部材１１を開口部から順次に入れる。このとき、図４（ｂ）に示す、半割れの外周部材片１１Ａ，１１Ｂを、図３に示すように、各組を対向させて環状となるように組み合わせ、これを２段に積み上げる。次いで、環状に組み合わせた外周部材１１中心部の空隙部に中心部材１２を下端部側から挿入する。これにより、試験缶１０内に円筒状の中心部材１２の第一の検出面１２ｋを配し、その中央にステンレス鋼製の突起部材１３による第二の検出面１３ｋを設けることができる。このように組み込まれたときに、第一の検出面１２ｋおよび第二の検出面１３ｋの高さを、第一実施形態（Ｒ缶：３５０ｍｌ缶）の所定の液面レベルに対応する高さに予め設定することで、その上端部を液面レベルとしてそれぞれＸ線液面検査装置に認識させることができる。
【００３０】
ここで、各検出面の設定高さは、ビールの入味量の不足の「判定値」を基準としており、高い位置にある第二の検出面１３ｋが、本実施形態のＸ線液面検査装置での判定値で「＋３」に相当し、また、低い位置にある第一の検出面１２ｋが判定値で「−３」に相当するように作成している。つまり、本実施形態のＸ線液面検査装置において、判定値「１」は、高さにして０．４ｍｍに相当する。そのため、判定値で「−３」から「＋３」の検査範囲は６×０．４ｍｍ＝２．４ｍｍなので、本実施形態では、上記突起部材１３の突出量を２．４ｍｍに設定している。そして、突起部材１３の最上部である第二の検出面１３ｋを液面レベルとして認識させており、制御装置２１のモニタ画面に判定値を表示するとともに画像での表示でも確認している。なお、Ｘ線液面検査装置自体は、判定値で「＋１０〜−１０」の２１段階で検査しており、２１×０．４ｍｍ＝８．４ｍｍの検査範囲で検査している。検査ＯＫの判定範囲（液面の許容範囲）はこの中の１３段階で設定している。
【００３１】
次に、この試験缶の作用・効果について説明する。
上述の試験缶１０によれば、製品とされる缶容器１内に、主にプラスチック製である被検査体１４を組み込んだ試験缶１０としたので、これを用いて確認試験を行なえば、Ｘ線液面検査装置のＸ線量が変化した際に、出荷される製品と同様の変化を確認することができる。また、この試験缶１０によれば、被検査体１４は、外周部材１１が、中心部材１２と缶胴３との間の空間を充填するように組み込まれているので、缶胴３の部分の凹みが抑制されている。
【００３２】
また、認識される液面レベルに対応する第一の検出面１２ｋが円柱状の中心部材１２の上面によって構成されるので、缶容器１が凹んでも液面レベルに対応する部分の高さが変化しない。そのため、本発明の試験缶１０では、缶底部が大きく凹まない限り缶胴３の凹みがあっても、試験缶１０の強度を維持するとともに入味量に対応する部分の高さの精度を向上させることができ、安定した確実な確認試験ができる。したがって、通常稼働時の誤排斥を低減して生産ラインの生産性を向上させることに寄与することができる。
【００３３】
さらに、この試験缶１０によれば、中心部材１２には、第一の検出面１２ｋの中央に、ステンレス鋼製の円盤状の突起部材１３が設けられ、該突起部材１３の上面が、認識される液面レベルに対応する第二の検出面１３ｋとされているので、Ｘ線液面検査装置で入味量を判定している検査範囲にズレが生じていないかの確認が同時に可能となり、液面レベルの補正が正しく行われているか否かが一層正確に判る。
なお、本発明に係るＸ線液面検査装置用試験缶は、上記実施形態に限定されるものではなく、本発明の趣旨を逸脱しなければ種々の変形が可能であり、例えば、本発明の試験缶は、ビール以外の液体の飲料容器での確認試験用の試験缶としても適用できることは勿論である。
【００３４】
また、上記実施形態では、試験缶１０として、第一実施形態（Ｒ缶：３５０ｍｌ缶）の例で説明したが、確認試験用の試験缶はこれに限らず、生産される缶容器Ｃの種類の切替が発生した場合には、対応する試験缶を使用することは勿論である。具体的には、図５に示す試験缶１０（Ｈ缶：５００ｍｌ缶（第二実施形態））や、図６に示す試験缶１０（Ｍ缶：２５０ｍｌ缶（第三実施形態））等が、生産される缶種の切り替えの都度、対応するものが使用される。
【００３５】
なお、第二および第三実施形態は、上述した第一実施形態に対して以下の点のみが異なり他の構成は同様である。つまり、図５に示す第二実施形態の試験缶１０は、上述した第一実施形態に対し、生産される缶容器Ｃに対応する缶容器１を用い、外周部材１１が３段重ねとされている点、および中心部材１２の高さが、５００ｍｌ缶に対応するビールの入味量に合わせて高くなっている点が異なっている。また、図６に示す第三実施形態の試験缶１０は、上述した第一実施形態に対し、生産される缶容器Ｃに対応する缶容器１を用い、外周部材１１が１段重ねとされている点、および中心部材１２の高さが、２５０ｍｌ缶に対応するビールの入味量に合わせて低くなっている点が異なっている。
【００３６】
また、上記実施形態では、第一の検出面１２ｋに加え、更に第二の検出面１３ｋを設けた例で説明したが、これに限らず、第二の検出面１３ｋを設けずに、第一の検出面１２ｋのみによって試験缶１０を構成してもよい。この場合の試験缶１０は、合格製品の入味判断を行う「ＯＫ缶」として、第一の検出面１２ｋの設定高さ（円柱の高さＨ）を設定する。そして、メーカーのメンテナンス等で入味量を静止状態において設定する場合等に用いることが好ましい。なお、メーカーメンテナンス用としてこのような試験缶を採用する理由は、第二の検出面１３ｋを設けることによって、逆に設定値がばらつくおそれがあるからである。
【符号の説明】
【００３７】
１    缶容器
２    底部
３    缶胴
４    縮径部
５    （巻締めされる）開口部
１０    試験缶
１１    外周部材
１２    中心部材
１２ｋ    第一の検出面
１３    突起部材
１３ｋ    第二の検出面
１４    被検査体
【図１】
0005763516.tif 000002
【図２】
0005763516.tif 000003
【図３】
0005763516.tif 000004
【図４】
0005763516.tif 000005
【図５】
0005763516.tif 000006
【図６】
0005763516.tif 000007